(57)【要約】【課題】ドラムカートリッジと現像カートリッジの装着方向の端面における部品配置の自由度を高め、各カートリッジ装着時にメモリを確実に接続できる画像形成装置を提供する。【解決手段】ドラムカートリッジ４００は、ドラムフレーム４２０と、感光ドラム４１０と、第１メモリ４３０とを有し、現像カートリッジ５００は、現像フレーム５２０と、現像ローラ５１０と、第２メモリ５３０とを有し、ともに本体筐体２に対して軸方向に着脱可能である。ドラムフレーム４２０は、第１ドラム外表面４２１と、直交方向において第１ドラム外表面から離れて位置する第２ドラム外表面４２２とを有し、現像フレーム５２０は、第１現像外表面５２１と、直交方向において第１現像外表面５２１から離れて位置する第２現像外表面５２２とを有する。第１メモリ４３０が第１ドラム外表面４２１に位置する、および／または、第２メモリ５３０が第１現像外表面５２１に位置する。【選択図】図１
2020166089.tif 000002
【特許請求の範囲】
【請求項１】
本体筐体と、
ドラムフレームと、軸方向に延びる第１軸について回転可能な感光ドラムと、前記感光ドラムに関する情報であるドラム情報を記憶する第１メモリと、を有するドラムカートリッジであって、前記本体筐体に対して、前記軸方向に着脱可能なドラムカートリッジと、
トナーを収容する現像フレームと、前記軸方向に延びる第２軸について回転可能な現像ローラと、前記トナーおよび前記現像ローラの少なくとも一方に関する現像情報を記憶する第２メモリと、を有する現像カートリッジであって、前記軸方向に直交する直交方向に沿って前記ドラムカートリッジと並ぶ現像カートリッジであり、前記本体筐体に対して、前記軸方向に着脱可能な現像カートリッジと、を備え、
前記ドラムフレームは、第１ドラム外表面と、前記直交方向において前記第１ドラム外表面から離れて位置する第２ドラム外表面とを有し、
前記現像フレームは、第１現像外表面と、前記直交方向において前記第１現像外表面から離れて位置する第２現像外表面とを有し、
前記第１メモリが前記第１ドラム外表面に位置する、または、前記第２メモリが、前記第１現像外表面に位置することを特徴とする画像形成装置。
【請求項２】
前記感光ドラムの少なくとも一部は、前記直交方向において、前記第１ドラム外表面と前記第２ドラム外表面の間に位置し、
前記現像ローラの少なくとも一部は、前記直交方向において、前記第１現像外表面と前記第２現像外表面の間に位置することを特徴とする請求項１に記載の画像形成装置。
【請求項３】
前記第１メモリは、前記第１ドラム外表面に位置することを特徴とする請求項１または請求項２に記載の画像形成装置。
【請求項４】
前記ドラムカートリッジが前記本体筐体に装着された状態で、前記ドラムカートリッジの上方に位置する中間転写ベルトであって、前記感光ドラムと接触可能な中間転写ベルトをさらに備え、
前記感光ドラムは、前記ドラムカートリッジが前記本体筐体に装着された状態で、上下方向において、前記中間転写ベルトと前記第１メモリの間に位置することを特徴とする請求項３に記載の画像形成装置。
【請求項５】
前記現像カートリッジおよび前記ドラムカートリッジが前記本体筐体に装着された状態で、前記現像ローラは前記感光ドラムと接触可能に位置し、
前記第１ドラム外表面は、前記直交方向において前記第２ドラム外表面よりも前記現像カートリッジから離れて位置することを特徴とする請求項３または請求項４に記載の画像形成装置。
【請求項６】
前記本体筐体は、前記ドラムカートリッジを着脱可能な第１開口を有し、
前記ドラムフレームは、第３ドラム外表面と、前記軸方向において前記第３ドラム外表面から離れて位置する第４ドラム外表面であって、前記ドラムカートリッジが前記本体筐体に装着された状態で、前記第３ドラム外表面よりも前記第１開口から離れて位置する第４ドラム外表面とを有し、
前記第１メモリは、前記第３ドラム外表面よりも前記第４ドラム外表面の近くに位置することを特徴とする請求項３から請求項５のいずれか一項に記載の画像形成装置。
【請求項７】
前記感光ドラムは、前記軸方向において、前記第３ドラム外表面と前記第４ドラム外表面の間に位置することを特徴とする請求項６に記載の画像形成装置。
【請求項８】
前記ドラムカートリッジは、前記感光ドラムを回転駆動する駆動力を入力するドラムカップリングをさらに有し、
前記ドラムカップリングは、前記第４ドラム外表面に位置することを特徴とする請求項６または請求項７に記載の画像形成装置。
【請求項９】
前記第２メモリは、前記第１現像外表面に位置することを特徴とする請求項１から請求項８のいずれか一項に記載の画像形成装置。
【請求項１０】
前記現像カートリッジが前記本体筐体に装着された状態で、前記ドラムカートリッジの上方に位置する中間転写ベルトであって、前記感光ドラムと接触可能な中間転写ベルトをさらに備え、
前記現像ローラは、前記現像カートリッジが前記本体筐体に装着された状態で、上下方向において、前記中間転写ベルトと前記第２メモリの間に位置することを特徴とする請求項９に記載の画像形成装置。
【請求項１１】
前記現像カートリッジおよび前記ドラムカートリッジが前記本体筐体に装着された状態で、前記現像ローラは前記感光ドラムと接触可能に位置し、
前記第１現像外表面は、前記直交方向において前記第２現像外表面よりも前記ドラムカートリッジの近くに位置することを特徴とする請求項９または請求項１０のいずれか一項に記載の画像形成装置。
【請求項１２】
前記本体筐体は、前記現像カートリッジを着脱可能な第２開口を有し、
前記現像フレームは、第３現像外表面と、前記軸方向において前記第３現像外表面から離れて位置する第４現像外表面であって、前記現像カートリッジが前記本体筐体に装着された状態で、前記第３現像外表面よりも前記第２開口から離れて位置する第４現像外表面とを有し、
前記第２メモリは、前記第３現像外表面よりも前記第４現像外表面の近くに位置することを特徴とする請求項９から請求項１１のいずれか一項に記載の画像形成装置。
【請求項１３】
前記現像カートリッジは、前記現像ローラを回転駆動する駆動力を入力する現像カップリングをさらに有し、
前記現像カップリングは、前記第４現像外表面に位置することを特徴とする請求項１２に記載の画像形成装置。
【請求項１４】
前記現像カートリッジは、前記現像カートリッジを前記本体筐体に対して位置決めするための位置決めボスをさらに有し、
前記位置決めボスは、前記第４現像外表面に位置することを特徴とする請求項１２または請求項１３に記載の画像形成装置。
【請求項１５】
前記第１メモリは、第１接点を有し、
前記本体筐体は、前記ドラムカートリッジが前記本体筐体に装着された状態で、前記第１接点と接触する第１端子と、前記ドラムカートリッジの着脱をガイドするドラムガイド溝とを有し、
前記ドラムガイド溝は、前記軸方向に延びる第１ドラムガイド溝と、前記第１ドラムガイド溝から前記第１端子に向かって前記軸方向と交差する方向に延びる第２ドラムガイド溝とを有することを特徴とする請求項１に記載の画像形成装置。
【請求項１６】
前記ドラムカートリッジが前記本体筐体に装着された状態で、前記ドラムカートリッジの上方に位置する中間転写ベルトであって、前記感光ドラムと接触可能な中間転写ベルトと、
前記ドラムカートリッジが前記本体筐体に装着された状態で、前記ドラムカートリッジの下方に位置するドラム支持プレートであって、前記感光ドラムを前記中間転写ベルトから離間させるドラム離間位置と、前記感光ドラムを前記中間転写ベルトに接触させるドラム接触位置とに上下方向に移動可能なドラム支持プレートと
をさらに備え、
前記ドラムガイド溝は、前記ドラム支持プレート上に位置することを特徴とする請求項１５に記載の画像形成装置。
【請求項１７】
前記第２メモリは、第２接点を有し、
前記本体筐体は、前記現像カートリッジが前記本体筐体に装着された状態で、前記第２接点と接触する第２端子と、前記現像カートリッジの着脱をガイドする現像ガイド溝とを有し、
前記現像ガイド溝は、前記軸方向に延びる第１現像ガイド溝と、前記第１現像ガイド溝から前記第２端子に向かって前記軸方向と交差する方向に延びる第２現像ガイド溝とを有することを特徴とする請求項１に記載の画像形成装置。
【請求項１８】
前記現像カートリッジおよび前記ドラムカートリッジが前記本体筐体に装着された状態で、前記現像ローラは前記感光ドラムと接触可能に位置し、
前記第１ドラム外表面は、前記直交方向において、前記第２ドラム外表面よりも前記現像カートリッジから離れて位置し、
前記第１現像外表面は、前記直交方向において、前記第２現像外表面よりも前記ドラムカートリッジの近くに位置し、
前記第２メモリは、前記第１現像外表面に位置し、
前記ドラムフレームは、前記第２ドラム外表面に、前記直交方向に向かって凹む凹部を有し、
前記ドラムカートリッジおよび前記現像カートリッジが前記本体筐体に装着された状態で、前記第２端子は、前記凹部と前記第２メモリの間に位置することを特徴とする請求項１７に記載の画像形成装置。
【請求項１９】
前記現像カートリッジは、前記ドラムカートリッジおよび前記現像カートリッジが前記本体筐体に装着された状態で、前記現像ローラと前記感光ドラムとが離間する現像離間位置と、前記現像ローラと前記感光ドラムとが接触する現像接触位置との間を移動可能であり、
前記現像カートリッジが、前記現像接触位置にある状態で、前記第２端子は、前記凹部内に位置することを特徴とする請求項１８に記載の画像形成装置。
【請求項２０】
前記本体筐体は、前記現像ローラを前記感光ドラムに向けて押圧させる押圧レバーをさらに有し、
前記押圧レバーは、前記現像カートリッジを押圧し、前記現像カートリッジが前記現像接触位置に位置する第１位置と、前記現像カートリッジが前記現像離間位置に位置する第２位置との間を移動可能であり、
前記第２端子は、前記押圧レバー上に位置することを特徴とする請求項１９に記載の画像形成装置。
【請求項２１】
前記第１メモリが前記第１ドラム外表面に位置する、かつ、前記第２メモリが前記第１現像外表面に位置することを特徴とする請求項１から請求項２０のいずれか一項に記載の画像形成装置。
【発明の詳細な説明】
【技術分野】
【０００１】
本開示は、ドラムカートリッジおよび現像カートリッジを備える画像形成装置に関する。
【背景技術】
【０００２】
従来、本体筐体に対してドラムカートリッジおよび現像カートリッジを、感光ドラムの回転軸に沿った方向である軸方向に着脱可能な画像形成装置が知られている（特許文献１参照）。また、画像形成装置に着脱可能なドラムカートリッジにおいて、ＩＣチップ（メモリ）を備えるものが知られている（特許文献２参照）。この技術では、画像形成装置は、ドラムカートリッジが装着されたときにメモリからドラムカートリッジの情報を読み取ることが可能となっている。そして、メモリは、ドラムカートリッジの装着方向の奥側端面に位置している。
【先行技術文献】
【特許文献】
【０００３】
【特許文献１】特開２０１８−７２６７７号公報
【特許文献２】特開２００９−００８６９８号公報
【発明の概要】
【発明が解決しようとする課題】
【０００４】
ところで、ドラムカートリッジまたは現像カートリッジの軸方向である装着方向の端面には、カップリングや電極など画像形成装置の本体筐体と接触する部品が複数位置する。そのため、ドラムカートリッジまたは現像カートリッジの軸方向である装着方向の端面に、さらにメモリを位置させることが困難であった。
【０００５】
そこで、本開示は、感光ドラムの軸方向に着脱可能なドラムカートリッジおよび現像カートリッジを備える画像形成装置において、ドラムカートリッジまたは現像カートリッジの軸方向である装着方向の端面とは異なる面に、メモリを位置させるものを開示することを目的とする。
【課題を解決するための手段】
【０００６】
上述の背景に鑑み、本体筐体と、ドラムカートリッジと、現像カートリッジとを備える画像形成装置を開示する。ドラムカートリッジは、ドラムフレームと、軸方向に延びる第１軸について回転可能な感光ドラムと、感光ドラムに関する情報であるドラム情報を記憶する第１メモリとを有する。ドラムカートリッジは、本体筐体に対して、前記軸方向に着脱可能である。現像カートリッジは、トナーを収容する現像フレームと、前記軸方向に延びる第２軸について回転可能な現像ローラと、トナーおよび現像ローラの少なくとも一方に関する現像情報を記憶する第２メモリとを有する。現像カートリッジは、前記軸方向に直交する直交方向に沿ってドラムカートリッジと並ぶ。現像カートリッジは、本体筐体に対して、前記軸方向に着脱可能である。ドラムフレームは、第１ドラム外表面と、前記直交方向において第１ドラム外表面から離れて位置する第２ドラム外表面とを有する。現像フレームは、第１現像外表面と、前記直交方向において第１現像外表面から離れて位置する第２現像外表面とを有する。そして、この画像形成装置は、第１メモリが第１ドラム外表面に位置する、または、第２メモリが、第１現像外表面に位置する。
【０００７】
この構成によれば、第１メモリまたは第２メモリを、対応するフレームの軸方向の端面ではなく、直交方向において離れた外表面の一方に配置することになる。したがって、第１メモリまたは第２メモリを、軸方向の端面におけるスペースの制約を受けることなく配置することができるので、接点の接触領域を十分確保することができる。
【０００８】
上述の画像形成装置において、感光ドラムは、前記直交方向において、第１ドラム外表面と第２ドラム外表面の間に位置し、現像ローラは、前記直交方向において、第１現像外表面と第２現像外表面の間に位置するものとしてもよい。
【０００９】
また、第１メモリおよび第２メモリのうち、第１メモリを、第１ドラム外表面に位置するものとしてもよい。
【００１０】
第１メモリが第１ドラム外表面に位置する形態において、画像形成装置は、ドラムカートリッジが本体筐体に装着された状態で、ドラムカートリッジの上方に位置する中間転写ベルトであって、感光ドラムと接触可能な中間転写ベルトをさらに備えるものであってもよい。ここで、感光ドラムは、ドラムカートリッジが本体筐体に装着された状態で、上下方向において、中間転写ベルトと第１メモリの間に位置するものとしてもよい。
【００１１】
なお、現像カートリッジおよびドラムカートリッジが本体筐体に装着された状態で、現像ローラは感光ドラムと接触可能に位置し、第１ドラム外表面は、前記直交方向において第２ドラム外表面よりも現像カートリッジから離れて位置するものとしてもよい。このように構成することで、第１ドラム外表面に位置する第１メモリが、現像カートリッジから離れて位置するので、現像カートリッジの着脱時の干渉を考慮する必要がなく、第１メモリの配置の自由度を高めることができる。
【００１２】
本体筐体は、ドラムカートリッジを着脱可能な第１開口を有していてもよい。また、ドラムフレームは、第３ドラム外表面と、軸方向において第３ドラム外表面から離れて位置する第４ドラム外表面とを有するものとすることができる。そして、第４ドラム外表面は、ドラムカートリッジが本体筐体に装着された状態で、第３ドラム外表面よりも第１開口から離れて位置するものとしてもよい。ここで、第１メモリは、第３ドラム外表面よりも第４ドラム外表面の近くに位置するものとするのが好ましい。
【００１３】
このように構成することで、第１メモリが第４ドラム外表面よりも第３ドラム外表面の近くに位置する場合に比べ、本体筐体側の第１メモリと接触する端子が、第１開口から離れた位置に配置されることになる。したがって、第１メモリと接触する端子にユーザが誤って触れてしまうことを抑止することができる。また、本体筐体側の端子とドラムフレームの接触、ひいては、そのような接触に伴う摩耗や破損を抑制することができる。
【００１４】
感光ドラムは、軸方向において、第３ドラム外表面と第４ドラム外表面の間に位置するものとしてもよい。
【００１５】
また、ドラムカートリッジが、感光ドラムを回転駆動する駆動力を入力するドラムカップリングをさらに有するものである場合、当該ドラムカップリングは、第４ドラム外表面に位置するものとすることができる。上述のように、第１メモリを第１ドラム外表面に位置するものとし、第４ドラム外表面に配置しないので、第４ドラム外表面内の最適な位置に、ドラムカップリングの配置領域を確保することができる。
【００１６】
また、第１メモリおよび第２メモリのうち、第２メモリを、第１現像外表面に位置するものとしてもよい。
【００１７】
第２メモリが第１現像外表面に位置する形態において、画像形成装置は、現像カートリッジが本体筐体に装着された状態で、ドラムカートリッジの上方に位置する中間転写ベルトであって、感光ドラムと接触可能な中間転写ベルトをさらに備えるものであってもよい。ここで、現像ローラは、現像カートリッジが本体筐体に装着された状態で、上下方向において、中間転写ベルトと第２メモリの間に位置するものとしてもよい。
【００１８】
なお、現像カートリッジおよびドラムカートリッジが本体筐体に装着された状態で、現像ローラは感光ドラムと接触可能に位置し、第１現像外表面は、前記直交方向において第２現像外表面よりもドラムカートリッジの近くに位置するものとしてもよい。
【００１９】
本体筐体は、現像カートリッジを着脱可能な第２開口を有していてもよい。また、現像フレームは、第３現像外表面と、軸方向において第３現像外表面から離れて位置する第４現像外表面とを有するものとすることができる。そして、第４現像外表面は、現像カートリッジが本体筐体に装着された状態で、第３現像外表面よりも第２開口から離れて位置するものとしてもよい。ここで、第２メモリは、第３現像外表面よりも第４現像外表面の近くに位置するものとするのが好ましい。
【００２０】
このように構成することで、第２メモリが第４現像外表面よりも第３現像外表面の近くに位置する場合に比べ、本体筐体側の第２メモリと接触する端子が、第２開口から離れた位置に配置されることになる。したがって、第２メモリと接触する端子にユーザが誤って触れてしまうことを抑止することができる。また、本体筐体側の端子と現像フレームの接触、ひいては、そのような接触に伴う摩耗や破損を抑制することができる。
【００２１】
現像カートリッジが、現像ローラを回転駆動する駆動力を入力する現像カップリングをさらに有するものである場合、当該現像カップリングは、第４現像外表面に位置するものとすることができる。上述のように、第２メモリを第１現像外表面に位置するものとし、第４現像外表面に配置しないので、第４現像外表面内の最適な位置に、現像カップリングの配置領域を確保することができる。
【００２２】
また、現像カートリッジは、現像カートリッジを本体筐体に対して位置決めするための位置決めボスをさらに有するものであってもよい。このとき、位置決めボスは、第４現像外表面に位置するものとすることができる。上述のように、第２メモリを第１現像外表面に位置するものとし、第４現像外表面に配置しないので、第４現像外表面内の最適な位置に、位置決めボスの配置領域を確保することができる。
【００２３】
第１メモリは、第１接点を有し、本体筐体は、ドラムカートリッジが本体筐体に装着された状態で、第１接点と接触する第１端子と、ドラムカートリッジの着脱をガイドするドラムガイド溝とを有するものであってもよい。そして、ドラムガイド溝は、軸方向に延びる第１ドラムガイド溝と、第１ドラムガイド溝から第１端子に向かって軸方向と交差する方向に延びる第２ドラムガイド溝とを有するものとすることができる。
【００２４】
このように構成することによって、ドラムカートリッジの着脱をドラムガイド溝によって円滑にガイドさせることができる。また、ドラムガイド溝が、第１端子に向かう第２ドラムガイド溝を有することで、第１メモリを確実に本体筐体側の第１端子に接触させることができる。
【００２５】
また、上述した画像形成装置は、ドラムカートリッジが本体筐体に装着された状態で、ドラムカートリッジの上方に位置する中間転写ベルトであって、感光ドラムと接触可能な中間転写ベルトと、ドラムカートリッジが本体筐体に装着された状態で、前記ドラムカートリッジの下方に位置するドラム支持プレートであって、前記感光ドラムを前記中間転写ベルトから離間させるドラム離間位置と、前記感光ドラムを前記中間転写ベルトに接触させるドラム接触位置とに上下方向に移動可能なドラム支持プレートとをさらに備えるものであってもよい。そして、ドラムガイド溝は、ドラム支持プレート上に位置するものとすることができる。
【００２６】
このように、ドラム支持プレート上に位置するドラムガイド溝によって、ドラムカートリッジを下から支持しつつ安定的に着脱をガイドさせることができる。
【００２７】
第２メモリは、第２接点を有し、本体筐体は、現像カートリッジが本体筐体に装着された状態で、第２接点と接触する第２端子と、現像カートリッジの着脱をガイドする現像ガイド溝とを有するものであってもよい。そして、現像ガイド溝は、軸方向に延びる第１現像ガイド溝と、第１現像ガイド溝から第２端子に向かって軸方向と交差する方向に延びる第２現像ガイド溝とを有するものとすることができる。
【００２８】
このように構成することによって、現像カートリッジの着脱を現像ガイド溝によって円滑にガイドさせることができる。また、現像ガイド溝が、第２端子に向かう第２現像ガイド溝を有することで、第２メモリを確実に本体筐体側の第２端子に接触させることができる。
【００２９】
また、現像カートリッジおよびドラムカートリッジが本体筐体に装着された状態で、現像ローラは感光ドラムと接触可能に位置し、第１ドラム外表面は、前記直交方向において、第２ドラム外表面よりも現像カートリッジから離れて位置し、第１現像外表面は、前記直交方向において、第２現像外表面よりもドラムカートリッジの近くに位置し、第２メモリは、前記第１現像外表面に位置する場合、ドラムフレームは、第２ドラム外表面に、前記直交方向に向かって凹む凹部を有していてもよい。さらに、ドラムカートリッジおよび現像カートリッジが本体筐体に装着された状態で、第２端子は、凹部と第２メモリの間に位置するものとすることができる。
【００３０】
ドラムフレームの第２ドラム外表面の、本体筐体の第２端子が配置される位置に対応する位置にあることで、現像カートリッジおよびドラムカートリッジの着脱時に、干渉しにくい構成とすることができる。
【００３１】
また、現像カートリッジは、ドラムカートリッジおよび現像カートリッジが本体筐体に装着された状態で、現像ローラと感光ドラムとが離間する現像離間位置と、現像ローラと感光ドラムとが接触する現像接触位置との間を移動可能であってもよい。このとき、現像カートリッジが、現像接触位置にある状態で、第２端子は、前記凹部内に位置するものとしてもよい。こうすることで、現像カートリッジが現像接触位置にあるときのドラムカートリッジとの間のスペース効率を高めることができる。
【００３２】
また、本体筐体は、現像ローラを感光ドラムに向けて押圧させる押圧レバーを有するものとしてもよい。押圧レバーは、現像カートリッジを押圧し、現像カートリッジが現像接触位置に位置する第１位置と、現像カートリッジが現像離間位置に位置する第２位置との間を移動可能である。そして、このとき、第２端子は、押圧レバー上に位置するとよい。
【００３３】
また、第１メモリが第１ドラム外表面に位置し、かつ、第２メモリが第１現像外表面に位置していてもよい。
【発明の効果】
【００３４】
上述の画像形成装置によれば、ドラムカートリッジまたは現像カートリッジの軸方向である装着方向の端面とは異なる面に、メモリを位置させることができる。その結果、ドラムカートリッジまたは現像カートリッジの装着方向の端面における部品配置の自由度を高め、ドラムカートリッジまたは現像カートリッジの本体筐体への装着時にメモリの確実な接続を実現することができる。
【図面の簡単な説明】
【００３５】
【図１】実施形態に係る画像形成装置の概略構成を示す図である。
【図２】カバーを開けた状態の本体筐体の内部を開口側から見た図である。
【図３】ドラムカートリッジを示す斜視図（ａ）、（ｂ）である。
【図４】現像カートリッジを示す斜視図（ａ）、（ｂ）である。
【図５】ドラム支持プレートおよび現像支持プレートを示す平面図である。
【図６】ドラムカートリッジと現像カートリッジが装着された本体筐体のカバーが開いた状態（ａ）とカバーが閉じられた状態（ｂ）を示す図である。
【図７】ドラムカートリッジと現像カートリッジを装着する過程（ａ）と、装着後に本体筐体のカバーが閉じられた状態（ｂ）を示す図である。
【図８】変形例に係る画像形成装置の現像カートリッジが現像接触位置にある状態（ａ）と現像離間位置にある状態（ｂ）を示す図である。
【発明を実施するための形態】
【００３６】
次に、本開示の実施形態について、適宜図面を参照しながら詳細に説明する。
図１に示すように、画像形成装置１は、カラープリンタである。画像形成装置１は、本体筐体２と、供給部３と、画像形成部４と、排出ローラ９と、制御部１０とを備える。供給部３は、画像形成部４にシートＳを供給する。画像形成部４は、シートＳに画像を形成する。排出ローラ９は、シートＳを排出する。
【００３７】
本体筐体２は、上部に排出部２０を有する。シートＳは、排出部２０に排出される。排出部２０は、後述する中間転写ベルト６３の上方に位置する。
【００３８】
供給部３は、本体筐体２内の下部に位置する。供給部３は、供給トレイ３１と、供給機構３２と、を備える。供給トレイ３１は、本体筐体２に着脱可能である。供給機構３２は、シートＳを供給トレイ３１から画像形成部４に搬送する。
【００３９】
画像形成部４は、ドラムカートリッジ４００と、現像カートリッジ５００と、露光装置ＳＵと、転写ユニット６０と、定着ユニット７０と、を備える。ドラムカートリッジ４００の数および現像カートリッジ５００の数は、それぞれトナーの色の数に対応している。本実施形態では、ドラムカートリッジ４００および現像カートリッジ５００は、それぞれ４つ並んでいる。
【００４０】
各ドラムカートリッジ４００は、感光ドラム４１０と、ドラムフレーム４２０と、図示せぬ帯電器と、第１メモリ４３０と、を有する。感光ドラム４１０は、軸方向に延びる第１軸Ｘ１について回転可能である。以下の説明では、感光ドラム４１０の回転軸である第１軸Ｘ１に平行な方向を単に「軸方向」という。４つの感光ドラム４１０は、軸方向および上下方向に直交する直交方向（以下の説明では単に「直交方向」という。）に並んでいる。ドラムフレーム４２０は、感光ドラム４１０を回転可能に支持している。
【００４１】
第１メモリ４３０は、感光ドラム４１０に関する情報であるドラム情報を記憶する。ドラム情報は、例えば、感光ドラム４１０の累積回転数を表す情報である。
【００４２】
ドラムカートリッジ４００および現像カートリッジ５００が本体筐体２に装着された状態において、ドラムカートリッジ４００は、直交方向に沿って、現像カートリッジ５００と並んでいる。
【００４３】
各現像カートリッジ５００は、それぞれ異なる色のトナーを収容する現像フレーム５２０と、現像ローラ５１０と、第２メモリ５３０と、を有している。現像ローラ５１０は、軸方向に延びる第２軸Ｘ２について回転可能である。４つの現像ローラ５１０は、直交方向に並んでいる。
【００４４】
第２メモリ５３０は、トナーおよび現像ローラ５１０の少なくとも一方に関する現像情報を記憶する。現像情報は、例えば、現像ローラ５１０の累積回転数、および／または、現像フレーム５２０に収容されたトナー残量を表す情報である。なお、現像情報は、現像フレーム５２０に収容されたトナーの使用量を表す情報を含んでいても良い。例えば、印刷したドットカウントや、印刷に使用したトナー使用量を表す情報である。
【００４５】
露光装置ＳＵは、各ドラムカートリッジ４００の下に位置する。露光装置ＳＵは、レーザ光（２点鎖線参照）を各感光ドラム４１０に出射する。
【００４６】
転写ユニット６０は、４つの感光ドラム４１０と排出部２０との間に位置する。転写ユニット６０は、駆動ローラ６１と、従動ローラ６２と、中間転写ベルト６３と、４つの１次転写ローラ６４と、２次転写ローラ６５と、を備える。
【００４７】
中間転写ベルト６３は、無端状のベルトである。中間転写ベルト６３は、ドラムカートリッジ４００および現像カートリッジ５００が本体筐体２に装着された状態において、ドラムカートリッジ４００および現像カートリッジ５００の上方に位置する。中間転写ベルト６３は、ドラムカートリッジ４００および現像カートリッジ５００が本体筐体２に装着された状態において、感光ドラム４１０の表面が接触する。中間転写ベルト６３は、駆動ローラ６１および従動ローラ６２の間に張設されている。
【００４８】
１次転写ローラ６４は、中間転写ベルト６３の内側に位置する。１次転写ローラ６４は、感光ドラム４１０との間で中間転写ベルト６３を挟む。
【００４９】
２次転写ローラ６５は、中間転写ベルト６３の外側に位置する。２次転写ローラ６５は、駆動ローラ６１との間で中間転写ベルト６３を挟む。
【００５０】
定着ユニット７０は、中間転写ベルト６３の上方に位置する。定着ユニット７０は、加熱ローラ７１と、加圧ローラ７２と、を備える。加圧ローラ７２は、加熱ローラ７１に押圧される。
【００５１】
制御部１０は、例えば、ＣＰＵ、ＲＡＭ、ＲＯＭおよび入出力回路を備えており、装着されたカートリッジの情報やＲＯＭに記憶されたプログラムやデータなどに基づいて演算処理を行うことによって、印刷制御を実行する。
【００５２】
画像形成部４では、まず、感光ドラム４１０の表面が、帯電器で帯電される。その後、露光装置ＳＵが、感光ドラム４１０の表面を露光する。これにより、感光ドラム４１０上に静電潜像が形成される。
【００５３】
次いで、現像ローラ５１０が、感光ドラム４１０上の静電潜像にトナーを供給する。これにより、感光ドラム４１０上にトナー像が形成される。そして、感光ドラム４１０上のトナー像は、中間転写ベルト６３上に転写される。
【００５４】
シートＳが中間転写ベルト６３と２次転写ローラ６５の間を通過するときに、中間転写ベルト６３上のトナー像は、シートＳ上に転写される。その後、シートＳ上のトナー像は、定着ユニット７０で定着される。次いで、シートＳは、排出ローラ９によって排出部２０に排出される。
【００５５】
図２に示すように、本体筐体２は、開口２１と、カバー２２とを有している。また、本体筐体２は、内部に、４つのドラムカートリッジ４００と４つの現像カートリッジ５００とを所定位置にそれぞれ収容可能に構成されている。そして、本体筐体２は、各ドラムカートリッジ４００の収容スペースに、それぞれ、第１端子１１０と、第１端子１１０が設置される第１端子設置部１１１と、第１連結プレート１１２と、２つの第１位置決め突起１１３と、ドラム駆動連結部１１５と、ドラム支持プレート１１６とを有している。また、本体筐体２は、各現像カートリッジ５００の収容スペースに、それぞれ、第２端子１２０と、第２端子１２０が設置される第２端子設置部１２１と、第２連結プレート１２２と、２つの第２位置決め突起１２３と、現像駆動連結部１２５と、現像支持プレート１２６とを有している。ドラム支持プレート１１６と現像支持プレート１２６の下にはリフトプレート１３０が位置している。
【００５６】
開口２１は、本体筐体２の軸方向における一方側を向いている。開口２１は、ドラムカートリッジ４００と現像カートリッジ５００が軸方向に着脱することを許容する。言い換えると、ドラムカートリッジ４００は、本体筐体２に対して、軸方向に着脱可能である。現像カートリッジ５００は、本体筐体２に対して、軸方向に着脱可能である。カバー２２は、開口２１を開閉可能である。
【００５７】
第１端子１１０は、各ドラムカートリッジ４００に対応している。第２端子１２０は、各現像カートリッジ５００に対応している。各第１端子１１０および各第２端子１２０は、制御部１０に接続されている。
【００５８】
第１端子１１０は、ドラムカートリッジ４００の第１メモリ４３０の第１接点４３１（図３参照）と電気的に接触可能である。第１メモリ４３０に記憶されている情報は、第１端子１１０を介して制御部１０に送られる。第２端子１２０は、現像カートリッジ５００の第２メモリ５３０の第２接点５３１（図４参照）と電気的に接触可能である。第２メモリ５３０に記憶されている情報は、第２端子１２０を介して制御部１０に送られる。
【００５９】
図３に示すように、第１端子１１０は、第１端子接点１１Ｃと、係合凹部１１Ｒとを有する。図４に示すように、第２端子１２０は、第２端子接点１２Ｃと、係合凹部１２Ｒとを有する。
【００６０】
図２に示すように、第１端子１１０は、第１端子設置部１１１に固定されている。また、第２端子１２０は、第２端子設置部１２１に固定されている。第１端子設置部１１１および第２端子設置部１２１の内部には、第１端子１１０および第２端子１２０を制御部１０と電気的に接続する配線が位置する。
【００６１】
第１連結プレート１１２には、それぞれ２つの第１位置決め突起１１３が所定位置に固定されている。第１連結プレート１１２およびドラム駆動連結部１１５は、本体筐体２内における開口２１から離れた奥側の垂直な壁沿いに位置している。
【００６２】
ドラム支持プレート１１６は、開口２１の下縁から奥側に向かって軸方向および直交方向に平行に延びている。ドラム支持プレート１１６は、ドラムカートリッジ４００が本体筐体２に装着された状態で、ドラムカートリッジ４００の下方に位置し、ドラムカートリッジ４００を下から支持する。
【００６３】
第１連結プレート１１２およびドラム駆動連結部１１５は、それぞれ上下方向に移動可能である。
【００６４】
第２連結プレート１２２には、それぞれ２つの第２位置決め突起１２３が所定位置に固定されている。第２連結プレート１２２および現像駆動連結部１２５は、本体筐体２内における開口２１から離れた奥側の垂直な壁沿いに位置している。
【００６５】
現像支持プレート１２６は、開口２１の下縁から奥側に向かって軸方向および直交方向に平行に延びている。現像支持プレート１２６は、現像カートリッジ５００が本体筐体２に装着された状態で、現像カートリッジ５００の下方に位置し、現像カートリッジ５００を下から支持する。
【００６６】
第２連結プレート１２２および現像駆動連結部１２５は、上下方向および直交方向に移動可能である。
【００６７】
ドラム支持プレート１１６および現像支持プレート１２６は、リフトプレート１３０に摺動可能に位置している。リフトプレート１３０は、上下に移動可能である。本実施形態では、リフトプレート１３０を上下に移動することでドラム支持プレート１１６および現像支持プレート１２６を同時に上下に昇降させるように構成されている。リフトプレート１３０は、図示せぬ複数の開口を有し、露光装置ＳＵから出射されたレーザ光が、各開口を通って、装着されたドラムカートリッジ４００の感光ドラム４１０を露光できるように構成されている。
【００６８】
図３を参照して、ドラムカートリッジ４００のドラムフレーム４２０の構成および位置と第１メモリ４３０の構成および位置について詳細に説明する。ドラムフレーム４２０は、軸方向に長い六面体であり、第１ドラム外表面４２１と、第２ドラム外表面４２２と、第３ドラム外表面４２３と、第４ドラム外表面４２４とを有する。第１ドラム外表面４２１と第２ドラム外表面４２２とは、直交方向において離れて位置する。第３ドラム外表面４２３と第４ドラム外表面４２４とは、軸方向において離れて位置する。
【００６９】
第１ドラム外表面４２１は、ドラムカートリッジ４００および現像カートリッジ５００が本体筐体２に装着された状態で、直交方向において、第２ドラム外表面４２２よりも、感光ドラム４１０が接触する現像ローラ５１０を有する対応する現像カートリッジ５００から離れて位置する外表面である。第４ドラム外表面４２４は、ドラムカートリッジ４００が本体筐体２に装着された状態で、軸方向において、第３ドラム外表面４２３よりも開口２１から離れて位置する外表面である。
【００７０】
第１メモリ４３０は、第１ドラム外表面４２１に位置する。また、第１メモリ４３０は、第３ドラム外表面４２３よりも第４ドラム外表面４２４の近くに位置する。
【００７１】
第１メモリ４３０は、２つの第１接点４３１と、２つの係合突起４３５とを有する。ドラムカートリッジ４００が本体筐体２に装着されると、係合突起４３５が第１端子１１０の係合凹部１１Ｒに係合して第１端子１１０に対して位置決めされ、第１接点４３１が第１端子接点１１Ｃと接触して電気的に接続される。
【００７２】
第１メモリ４３０は、ドラムフレーム４２０に対して上下に移動可能に取り付けられている。そして、第１メモリ４３０は図示せぬバネにより上に向けて付勢されている。したがって、ドラムカートリッジ４００の本体筐体２への装着後、後述する感光ドラム４１０のドラム離間位置からドラム接触位置への移動時に、ドラムフレーム４２０の上方への移動にともない、第１メモリ４３０が、図３（ａ）に示す位置から、ドラムフレーム４２０に対して下に移動することで、第１接点４３１の第１端子１１０との接触を維持することができる。
【００７３】
感光ドラム４１０は、直交方向において、その少なくとも一部が、第１ドラム外表面４２１と第２ドラム外表面４２２の間に位置する。具体的には、感光ドラム４１０の第１軸Ｘ１は、直交方向において、第１ドラム外表面４２１と第２ドラム外表面４２２の間に位置する。また、感光ドラム４１０は、軸方向において、第３ドラム外表面４２３と第４ドラム外表面４２４の間に位置する。そして、感光ドラム４１０は、ドラムカートリッジ４００が本体筐体２に装着された状態で、上下方向において、中間転写ベルト６３と第１メモリ４３０の間に位置する。
【００７４】
ドラムカートリッジ４００は、第４ドラム外表面４２４に、ドラムカップリング４４０と、２つの第１位置決め孔４２６とを有する。ドラムカップリング４４０は、ドラムカートリッジ４００が本体筐体２に装着された状態で、本体筐体２のドラム駆動連結部１１５（図２参照）に連結され、感光ドラム４１０を回転駆動する駆動力を入力する。２つの第１位置決め孔４２６は、ドラムカートリッジ４００が本体筐体２に装着された状態で、本体筐体２の第１連結プレート１１２に固定された第１位置決め突起１１３が嵌る。
【００７５】
図３に示すように、感光ドラム４１０は、ドラムフレーム４２０の上面および第２ドラム外表面４２２の上部の開口から露出しており、中間転写ベルト６３および対応する現像ローラ５１０と接触可能に位置する。ドラムフレーム４２０の下面には、２つの被案内突起４２７と、摺接凸部４２８とが位置する。被案内突起４２７および摺接凸部４２８については後述する。
【００７６】
また、ドラムフレーム４２０は、第２ドラム外表面４２２の下部における第４ドラム外表面に隣接する位置に、直交方向に向かって凹む凹部４２９を有する。凹部４２９は、ドラムカートリッジ４００および対応する現像カートリッジ５００が本体筐体に装着された状態で、直交方向における第２端子１２０に対応する位置に位置する。より具体的には、このとき、第２端子１２０は、凹部４２９と第２メモリ５３０の間に位置し、第２端子設置部１２１に固定された第２端子１２０が、凹部４２９の内部に位置する。
【００７７】
図４を参照して、現像カートリッジ５００の現像フレーム５２０の構成および位置と第２メモリ５３０の構成および位置について詳細に説明する。現像フレーム５２０は、軸方向に長い六面体であり、第１現像外表面５２１と、第２現像外表面５２２と、第３現像外表面５２３と、第４現像外表面５２４とを有する。第１現像外表面５２１と第２現像外表面５２２とは、直交方向において離れて位置する。第３現像外表面５２３と第４現像外表面５２４とは、軸方向において離れて位置する。
【００７８】
第１現像外表面５２１は、ドラムカートリッジ４００および現像カートリッジ５００が本体筐体２に装着された状態で、直交方向において、第２現像外表面５２２よりも、現像ローラ５１０が接触する感光ドラム４１０を有する対応するドラムカートリッジ４００の近くに位置する外表面である。第４現像外表面５２４は、現像カートリッジ５００が本体筐体２に装着された状態で、軸方向において、第３現像外表面５２３よりも開口２１から離れて位置する外表面である。
【００７９】
第２メモリ５３０は、第１現像外表面５２１に位置する。また、第２メモリ５３０は、第３現像外表面５２３よりも第４現像外表面５２４の近くに位置する。
【００８０】
第２メモリ５３０は、２つの第２接点５３１と、２つの係合突起５３５とを有する。現像カートリッジ５００が本体筐体２に装着されると、係合突起５３５が第２端子１２０の係合凹部１２Ｒに係合して第２端子１２０に対して位置決めされ、第２接点５３１が第２端子接点１２Ｃと接触して電気的に接続される。
【００８１】
第２メモリ５３０は、現像フレーム５２０に対して固定されており移動しない。したがって、ドラムカートリッジ４００および現像カートリッジ５００が本体筐体２に装着された状態で、後述する現像ローラ５１０と感光ドラム４１０とが離間する現像離間位置から現像ローラ５１０と感光ドラム４１０とが接触する現像接触位置への移動時に、第２メモリ５３０の第２接点５３１が第２端子１２０の第２端子接点１２Ｃに接触するように位置している。
【００８２】
現像ローラ５１０は、直交方向において、その少なくとも一部が、第１現像外表面５２１と第２現像外表面５２２の間に位置する。具体的には、現像ローラの第２軸Ｘ２は、直交方向において、第１現像外表面５２１と第２現像外表面５２２の間に位置する。また、現像ローラ５１０は、軸方向において、第３現像外表面５２３と第４現像外表面５２４の間に位置する。そして、現像ローラ５１０は、現像カートリッジ５００が本体筐体２に装着された状態で、上下方向において、中間転写ベルト６３と第２メモリ５３０の間に位置する。
【００８３】
現像カートリッジ５００は、第４現像外表面５２４に、位置決めボス５２５と、現像カップリング５４０と、現像カップリングカバー５４５とを有する。現像カップリング５４０は、現像カートリッジ５００が本体筐体２に装着された状態で、本体筐体２の現像駆動連結部１２５（図２参照）に連結され、現像ローラ５１０を回転駆動する駆動力を入力する。現像カップリングカバー５４５は、現像カップリング５４０の外周を覆っている。位置決めボス５２５および現像カップリングカバー５４５には、それぞれ１つずつ第２位置決め孔５２６が位置する。２つの第２位置決め孔５２６は、現像カートリッジ５００が本体筐体２に装着された状態で、本体筐体２の第２連結プレート１２２に固定された第２位置決め突起１２３（図２参照）が嵌る。
【００８４】
図４に示すように、現像ローラ５１０は、現像フレーム５２０の第１現像外表面５２１の上部の開口から露出しており、対応する感光ドラム４１０と接触可能に位置する。現像フレーム５２０の下面には、２つの被案内突起５２７と、摺接凸部５２８とが位置する。
【００８５】
次に、ドラムカートリッジ４００および現像カートリッジ５００を着脱するための構成について図５〜図７を参照して説明する。
【００８６】
図５に示すように、ドラム支持プレート１１６上には、ドラムカートリッジ４００の着脱をガイドする２本のドラムガイド溝１１７が位置する。各ドラムガイド溝１１７は、軸方向に延びる第１ドラムガイド溝１１７Ａと、第１ドラムガイド溝１１７Ａから第１端子１１０に向かって軸方向と交差する方向に延びる第２ドラムガイド溝１１７Ｂとを有する。
【００８７】
また、現像支持プレート１２６上には、現像カートリッジ５００の着脱をガイドする現像ガイド溝１２７が位置する。各現像ガイド溝１２７は、軸方向に延びる第１現像ガイド溝１２７Ａと、第１現像ガイド溝１２７Ａから第２端子１２０に向かって軸方向と交差する方向に延びる第２現像ガイド溝１２７Ｂとを有する。
【００８８】
ドラムカートリッジ４００の本体筐体２への装着時には、まず、ドラムカートリッジ４００の下面の２つの被案内突起４２７が対応する２つのドラムガイド溝１１７に嵌め込まれ、摺接凸部４２８をドラム支持プレート１１６上ですべらせながら、第１ドラムガイド溝１１７Ａに沿って、図７（ａ）の位置まで、まっすぐ奥へと押し込まれる。そして、さらに押し込まれることで、第２ドラムガイド溝１１７Ｂに入り方向を変えて第１端子１１０に向かい、ドラムカップリング４４０がドラム駆動連結部１１５（図２参照）に連結された状態で位置決めされる。このとき、図６（ａ）に示すように、第１メモリ４３０が第１端子１１０に接触する。
【００８９】
現像カートリッジ５００の本体筐体２への装着時には、まず、現像カートリッジ５００の下面の２つの被案内突起５２７が対応する２つの現像ガイド溝１２７に嵌め込まれ、摺接凸部５２８を現像支持プレート１２６上ですべらせながら、第１現像ガイド溝１２７Ａに沿って、図７（ａ）の位置まで、まっすぐ奥へと押し込まれる。そして、さらに押し込まれることで、第２現像ガイド溝１２７Ｂに入り、方向を変えて第２端子１２０に向かい、現像カップリング５４０が現像駆動連結部１２５に連結された状態で位置決めされる。このとき、図６（ａ）に示すように、第２メモリ５３０は第２端子１２０の近傍に位置し、電気的に接続されていない。
【００９０】
なお、このようにドラムカートリッジ４００が本体筐体２に装着された状態で、ドラム支持プレート１１６は、感光ドラム４１０を中間転写ベルト６３から離間させるドラム離間位置（図６（ａ）参照）と、感光ドラム４１０を中間転写ベルト６３に接触させるドラム接触位置（図６（ｂ）、７（ｂ）参照）とに上下方向に移動可能に構成されている。
【００９１】
また、現像カートリッジ５００は、対応するドラムカートリッジ４００とともに本体筐体２に装着された状態で、それぞれの現像ローラ５１０と感光ドラム４１０とが離間する現像離間位置（図６（ａ）参照）と、現像ローラ５１０と感光ドラム４１０とが接触する現像接触位置（図６（ｂ）参照）との間を移動可能に構成されている。
【００９２】
本実施形態では、ドラムカートリッジ４００のドラム離間位置とドラム接触位置との間の移動、および、現像カートリッジ５００の現像離間位置と現像接触位置との間の移動が、本体筐体２のカバー２２の開閉動作と連動している。
【００９３】
詳しくは、ドラムカートリッジ４００および現像カートリッジ５００が本体筐体２に装着された後、カバー２２が開いた状態では、図６（ａ）に示すように、ドラムカートリッジ４００はドラム離間位置に位置し、現像カートリッジ５００は現像離間位置に位置する。一方、ドラムカートリッジ４００および現像カートリッジ５００が本体筐体２に装着され、カバー２２が閉じられた状態では、図６（ｂ）に示すように、ドラムカートリッジ４００はドラム接触位置に位置し、現像カートリッジ５００は現像接触位置に位置する。
【００９４】
図７に示すように、本体筐体２のカバー２２の内側には、カバー２２と一体に回動するインナーカバー２３が位置する。図２および図７に示すように、本体筐体２の内部には、リフトプレート１３０が位置している。ドラム支持プレート１１６および現像支持プレート１２６は、リフトプレート１３０の上に位置している。
【００９５】
リフトプレート１３０は、直交方向の両側で、軸方向の開口側と奥側の端部が、それぞれ第１リンク２７と第２リンク２８により本体筐体２に連結され、四節リンク機構を構成している。第１リンク２７は、インナーカバー２３に固定されている。したがって、カバー２２を開いた位置から閉じられた位置まで回動させると、インナーカバー２３および第１リンク２７が一体に回動し、従動する第２リンク２８とともに、リフトプレート１３０を図７（ｂ）に示す位置まで持ち上げる。このとき、リフトプレート１３０上のドラム支持プレート１１６および現像支持プレート１２６は、図６（ｂ）に示す位置まで上昇する。
【００９６】
また、インナーカバー２３の内側には、インナーカバー２３と一体に回動するカム２５が位置する。図５に示すように、ドラムカートリッジ４００の下に位置するドラム支持プレート１１６に隣接する、対応する現像カートリッジ５００の下に位置する現像支持プレート１２６の間には、バネ２６が位置している。バネ２６は、現像支持プレート１２６を対応するドラム支持プレート１１６から遠ざかる方向に付勢する。
【００９７】
カバー２２を開いた位置から閉じられた位置まで回動させると、インナーカバー２３が回動し、カム２５が、現像支持プレート１２６の、対応するドラム支持プレート１１６とは反対側の面に当接して、対応するドラム支持プレート１１６に向かって押圧し、現像支持プレート１２６を、バネ２６の付勢力に抗して、図５に二点鎖線で示す位置から実線で示す位置まで移動させる。
【００９８】
このように、本実施形態では、ドラムカートリッジ４００および現像カートリッジ５００が本体筐体２に装着された状態で、カバー２２を閉じることで、ドラムカートリッジ４００をドラム離間位置からドラム接触位置に移動させるとともに、現像カートリッジ５００を現像離間位置から現像接触位置に移動させることができる。さらに、このとき、図６（ｂ）に示すように、第１メモリ４３０が第１端子１１０に接触する。
【００９９】
ドラムカートリッジ４００および／または現像カートリッジ５００を本体筐体２から取り外す場合には、まず、カバー２２を開くことで、現像カートリッジ５００を現像離間位置に退避させるとともに、ドラムカートリッジ４００をドラム離間位置に退避させる。そして、ドラムガイド溝１１７に沿ってドラムカートリッジ４００を、あるいは、現像ガイド溝１２７に沿って現像カートリッジ５００を、それぞれ引き出すことができる。
【０１００】
以上説明した実施形態によれば、次のような利点が得られる。
第１メモリ４３０を第１ドラム外表面４２１に位置するものとしているので、ドラムカートリッジ４００の、ドラムカップリング４４０や第１位置決め孔４２６が位置する軸方向の奥側端面におけるスペースの制約を受けることがなく、第１接点４３１の接触領域を十分確保することができる。また、第２メモリ５３０を第１現像外表面５２１に位置するものとしているので、現像カートリッジ５００の、現像カップリング５４０や位置決めボス５２５や第２位置決め孔５２６が位置する軸方向の奥側端面におけるスペースの制約を受けることがなく、第２接点５３１の接触領域を十分確保することができる。
【０１０１】
第１メモリ４３０を、対応する現像カートリッジ５００とは反対側の第１ドラム外表面４２１における、開口２１から離れた位置に位置するものとしているので、ドラムカートリッジ４００の着脱時に、第１端子１１０とドラムフレーム４２０が接触すること（ひいては、それにともなう摩耗や破損）や、対応する現像カートリッジ５００の着脱時に、第１端子１１０と現像フレーム５２０が干渉したりすることを抑制することができる。また、本体筐体２側の第１端子１１０にユーザが誤って触れてしまうことを抑制することができる。
【０１０２】
第２メモリ５３０も、開口２１から離れた位置に位置するものとしているので、本体筐体２側の第２端子１２０にユーザが誤って触れてしまうことを抑制することができる。また、第２端子１２０と現像フレーム５２０が接触すること（ひいては、それにともなう摩耗や破損）を抑制することができる。
【０１０３】
軸方向に延びる第１ドラムガイド溝１１７Ａと、第１ドラムガイド溝１１７Ａから第１端子１１０に向かって軸方向と交差する方向に延びる第２ドラムガイド溝１１７Ｂとを有するドラムガイド溝１１７を利用して、ドラムカートリッジ４００をスムーズに着脱させることができ、特に、装着時には、第１メモリ４３０を確実に第１端子１１０に接触させることができる。
【０１０４】
同様に、軸方向に延びる第１現像ガイド溝１２７Ａと、第１現像ガイド溝１２７Ａから第２端子１２０に向かって軸方向と交差する方向に延びる第２現像ガイド溝１２７Ｂとを有する現像ガイド溝１２７を利用して、現像カートリッジ５００をスムーズに着脱させることができ、特に、装着時には、第２メモリ５３０を確実に第２端子１２０に接触させることができる。
【０１０５】
上述の具体的実施形態は、さまざまに変形して実施することができる。
たとえば、上述の実施形態において、ドラムカートリッジ４００および現像カートリッジ５００をカバー２２の開閉に連動させて上下に移動させる形態を例示したが、ドラムカートリッジのドラム離間位置への移動は、カバーの開閉とは独立に実行可能としてもよい。また、ドラムカートリッジのドラム離間位置への移動時に、現像カートリッジを移動させなくてもよい。したがって、リフトプレートは、ドラム支持プレートのみを移動させるものであってもよい。
【０１０６】
また、上述の実施形態において、現像カートリッジ５００をカバー２２の開閉に連動させて現像離間位置から現像接触位置に移動させる形態を例示したが、現像カートリッジの現像接触位置への移動および／または現像離間位置への移動は、カバーの開閉とは独立に実行可能としてもよい。
【０１０７】
また、上述の実施形態では、ドラム支持プレート１１６にドラムガイド溝１１７を、現像支持プレート１２６に現像ガイド溝１２７を、それぞれ位置させる構成を例示したが、ドラムガイド溝や現像ガイド溝は、リフトプレートに直接位置させてもよく、現像カートリッジやドラムカートリッジの下方に位置するものでなく、本体筐体２の他の部位に位置するものであってもよい。また、各カートリッジの着脱に支障がなければ、ガイド溝はなくてもよい。
【０１０８】
図８に示す変形例では、ドラムカートリッジ４００および現像カートリッジ５００が装着され、ドラムカートリッジ４００がドラム接触位置にある状態で、現像カートリッジ５００を、現像接触位置にある状態（図８（ａ）参照）と、現像離間位置にある状態（図８（ｂ）参照）とに移動させることができるように構成されている。現像カートリッジ５００は、装着後、カバー２２が閉じられた状態で、本体筐体２の第２連結プレート１２２およびインナーカバー２３の円柱状突起ＲＣ１に軸支され、円柱状突起ＲＣ１を中心に回動可能である。
【０１０９】
また、本変形例では、本体筐体２が、上述した実施形態における第２端子設置部１２１に代えて、押圧レバーＬＶを有し、第２端子１２０は、この押圧レバーＬＶ上に位置している。押圧レバーＬＶは、本体筐体２に対して、シャフトＲＣ２を中心に回動可能に軸支されている。押圧レバーＬＶは、現像カートリッジ５００が図８（ａ）に示す第１位置と、図８（ｂ）に示す第２位置との間を移動可能である。
【０１１０】
押圧レバーＬＶの下端部がバネＳＰによって常に対応するドラムカートリッジ側に付勢されている。したがって、現像カートリッジ５００が現像接触位置に位置する状態（図８（ａ）参照）で、第１位置に位置する押圧レバーＬＶは、現像カートリッジ５００を押圧し、現像ローラ５１０を感光ドラム４１０に向けて押圧させている。
【０１１１】
また、現像カートリッジ５００の第２現像外表面５２２の下端部にはアクチュエータＡＣが位置している。アクチュエータＡＣが現像カートリッジ５００の下端部を対応するドラムカートリッジ４００に向けて押圧することで、現像カートリッジ５００は円柱状突起ＲＣ１について回動し、図８（ｂ）に示す現像離間位置に移動する。
【０１１２】
そして、現像カートリッジ５００の回動にともない、第２端子１２０がドラムカートリッジ４００側に押され、押圧レバーＬＶが、バネＳＰの付勢力に抗して第２位置に移動する。このとき、第２端子１２０もドラムカートリッジ４００側に移動するが、第２端子１２０がドラムフレーム４２０の凹部４２９と第２メモリ５３０の間に位置しているので、第２端子１２０が凹部４２９内に入り込み、ドラムフレーム４２０に干渉することがない。
【０１１３】
上述の実施形態において、第１メモリ４３０が第１ドラム外表面４２１に位置し、第２メモリ５３０が第１現像外表面５２１に位置する場合を例示したが、第１メモリまたは第２メモリのいずれか一方のみを対応する第１外表面に位置するように構成してもよい。また、各第１外表面内における位置も、例示した位置に限らず、開口に近い位置や、中間転写ベルトに近い位置を選択することもできる。
【０１１４】
上述の実施形態において、ドラムカートリッジ４００と現像カートリッジ５００を単一の開口から着脱可能な形態を例示したが、本体筐体が、ドラムカートリッジを着脱可能な第１開口と、現像カートリッジを着脱可能な第２開口とをそれぞれ別に備えていてもよく、各開口を個別に開閉できるカバーを備えるものであってもよい。
【０１１５】
図示した実施形態において、「直交方向」は、軸方向および上下方向に直交する方向を例示したが、直交方向は、軸方向に直交し、上下方向に直交しない方向であってもよい。
【０１１６】
上述の各実施形態では、画像形成装置１がカラープリンタであったが、その他の画像形成装置、例えばモノクロのプリンタ、複写機、複合機などでもよい。
【０１１７】
上述した実施形態および変形例で説明した各要素を、任意に組み合わせて実施してもよい。
【符号の説明】
【０１１８】
１      画像形成装置
２      本体筐体
６３    中間転写ベルト
２１    開口
１１０  第１端子
１１６  ドラム支持プレート
１１７  ドラムガイド溝
１２０  第２端子
１２６  現像支持プレート
１２７  現像ガイド溝
４００  ドラムカートリッジ
４１０  感光ドラム
４２０  ドラムフレーム
４２１  第１ドラム外表面
４２２  第２ドラム外表面
４２９  凹部
４３０  第１メモリ
４３１  第１接点
４４０  ドラムカップリング
５００  現像カートリッジ
５１０  現像ローラ
５２０  現像フレーム
５２１  第１現像外表面
５２２  第２現像外表面
５２５  位置決めボス
５３０  第２メモリ
５３１  第２接点
５４０  現像カップリング
ＬＶ    押圧レバー
Ｘ１    第１軸
Ｘ２    第２軸
【図１】
2020166089.tif 000003
【図２】
2020166089.tif 000004
【図３】
2020166089.tif 000005
【図４】
2020166089.tif 000006
【図５】
2020166089.tif 000007
【図６】
2020166089.tif 000008
【図７】
2020166089.tif 000009
【図８】
2020166089.tif 000010